(57)【特許請求の範囲】
【請求項１】
ディスプレイを備えるユーザ端末が、友だちとして登録されたユーザの状態メッセージが提供される領域を含む友だち目録画面を表示し、
前記友だち目録画面で前記状態メッセージが提供される領域が選択される場合、前記ユーザが予め入力した状態メッセージがリスト形態で提供されるメッセージ画面を表示し、
前記メッセージ画面によって提供される複数の前記状態メッセージのいずれか１つが選択される場合、前記ユーザとのチャットルーム画面を表示して前記選択された状態メッセージを引用形式で前記チャットルーム画面の入力領域に挿入し、
前記友だち目録画面は、前記状態メッセージが提供される領域と前記ユーザのプロフィール情報が提供される領域を含み、
前記友だち目録画面で前記ユーザのプロフィール情報が提供される領域が選択される場合、前記ユーザの詳細プロフィール情報が提供されるポップアップ画面を表示し、
前記ポップアップ画面で前記状態メッセージが選択される場合、前記ユーザとのチャットルーム画面を表示して前記選択された状態メッセージを引用形式で前記チャットルーム画面の入力領域に挿入することを特徴とするチャットサービス提供方法。
【請求項２】
ディスプレイを備えるユーザ端末が、友だちとして登録されたユーザの状態メッセージが提供される領域を含む友だち目録画面を表示し、
前記友だち目録画面で前記状態メッセージが提供される領域が選択される場合、前記ユーザが予め入力した状態メッセージがリスト形態で提供されるメッセージ画面を表示し、
前記メッセージ画面によって提供される複数の前記状態メッセージのいずれか１つが選択される場合、前記ユーザとのチャットルーム画面を表示して前記選択された状態メッセージを引用形式で前記チャットルーム画面の入力領域に挿入し、
前記メッセージ画面が自分のメッセージ画面である場合、前記メッセージ画面によって提供される各状態メッセージの一側には前記それぞれの状態メッセージを編集することのできる編集アイコンが表示され、
前記メッセージ画面の一側には前記状態メッセージを入力することのできる入力領域が含まれることを特徴とするチャットサービス提供方法。
【請求項３】
前記友だち目録画面は、前記状態メッセージが提供される領域と前記ユーザのプロフィール情報が提供される領域を含み、
前記プロフィール情報が提供される領域では、前記ユーザのチャット名と前記ユーザのサムネイルイメージが表示されることを特徴とする請求項２に記載のチャットサービス提供方法。
【請求項４】
前記友だち目録画面で前記ユーザのプロフィール情報が提供される領域が選択される場合、前記ユーザの詳細プロフィール情報が提供されるポップアップ画面を表示することをさらに含むことを特徴とする請求項３に記載のチャットサービス提供方法。
【請求項５】
前記詳細プロフィール情報は、前記ユーザのチャット名、前記サムネイルイメージ及び前記状態メッセージを含み、
前記ポップアップ画面で前記状態メッセージが選択される場合、前記ユーザとのチャットルーム画面を表示して前記選択された状態メッセージを引用形式で前記チャットルーム画面の入力領域に挿入することを特徴とする請求項４に記載のチャットサービス提供方法。
【請求項６】
前記状態メッセージが提供される領域には、最新のアップデートされた状態メッセージが吹き出し形態に表示され、前記状態メッセージが予め設定された字数以上である場合、前記友だち目録画面には前記予め設定された字数以後にエリプシスを表示することを特徴とする請求項１又は２に記載のチャットサービス提供方法。
【請求項７】
前記状態メッセージがアップデートされた時間が前記メッセージ画面に訪問した時間の後である場合、前記状態メッセージが提供される領域の色を予め設定された色に変更することによって前記状態メッセージがアップデートされることを通知するステップをさらに含むことを特徴とする請求項１又は２に記載のチャットサービス提供方法。
【請求項８】
前記メッセージ画面は、前記ディスプレイの全体画面にポップアップレイヤの形態に表示され、前記メッセージ画面にユーザが訪問した回数を示すページビューカウンタを含むことを特徴とする請求項１又は２に記載のチャットサービス提供方法。
【請求項９】
前記メッセージ画面が自分のメッセージ画面である場合、前記メッセージ画面によって提供される各状態メッセージの一側には前記それぞれの状態メッセージを編集することのできる編集アイコンが表示され、
前記メッセージ画面の一側には前記状態メッセージを入力することのできる入力領域が含まれることを特徴とする請求項１に記載のチャットサービス提供方法。
【請求項１０】
請求項１〜請求項９のいずれか１項の方法をコンピュータに実行させるためのプログラム。
【発明の詳細な説明】
【技術分野】
【０００１】
本発明の実施形態は、ユーザにチャットサービスを提供するチャットサービス提供方法及び装置に関する。
【背景技術】
【０００２】
最近、電子、通信技術の発展につれてスマートフォン（ｓｍａｒｔ  ｐｈｏｎｅ）のような携帯端末が急速に普及している傾向がある。これによって、パーソナルコンピュータ（ＰＣ）などのような固定式端末のみならず、携帯端末でも文字を用いたチャットサービスを提供するための様々な技術が開発されている。
【０００３】
このようなチャットサービスの一例として、韓国公開特許第１０−２０１２−０００２７６６号公報（公開日２０１２年１月９日）「携帯端末の位置ベース吹き出しサービスの利用方法、装置及びこれを用いたシステム」には、複数の携帯端末から送信された状態情報を通信サーバから受信し、これを吹き出しイメージに変換して画面に表示することによって小規模のメッセンジャー機能を行うことに関して記載されている。
【０００４】
しかし、このようなサービスは、利用者間の位置に基づいた状態情報を吹き出しにして画面に表示することによりメッセンジャー機能を提供することができるが、ユーザが最近入力したメッセージのみが地図上に表示されるため、ユーザのチャットが記録されるチャットルーム形式のサービスを提供することができないという問題がある。
【０００５】
一方、携帯端末の特性上、文字を入力するためのインタフェースが小型であるため、頻繁な誤打発生及び文字入力の不便などによって、他のユーザが入力したメッセージを引用したり、このメッセージを話題にしてチャットをしたりしたい場合に該当メッセージをいちいち再度入力しなければならないという不便がある。
【０００６】
したがって、より手軽に他のユーザが入力したメッセージの内容を話題にしてチャットすることのできる方法が要求されている。
【先行技術文献】
【特許文献】
【０００７】
【特許文献１】韓国公開特許第１０−２０１２−０００２７６６号公報
【発明の概要】
【発明が解決しようとする課題】
【０００８】
本発明の目的は、他のユーザが入力したメッセージの内容を話題にして手軽にチャットすることのできるチャットサービス提供方法及び装置を提供する。
【課題を解決するための手段】
【０００９】
チャットサービス提供方法は、ディスプレイを含むユーザ端末が友だちとして登録されたユーザの状態メッセージが提供される領域を含む友だち目録画面を表示するし、友だち目録画面で状態メッセージが提供される領域が選択される場合、ユーザが予め入力した状態メッセージがリスト形態で提供される１行メッセージ画面を表示し、１行メッセージ画面によって提供される複数の状態メッセージのいずれか１つが選択される場合、ユーザとのチャットルーム画面を表示して選択された状態メッセージを引用形式でチャットルーム画面の入力領域に挿入することを含む。
【００１０】
本発明の一実施形態によると、友だち目録画面は、状態メッセージが提供される領域とユーザのプロフィール情報が提供される領域を含み、プロフィール情報が提供される領域では、ユーザのチャット名とユーザのサムネイルイメージが表示されてもよい。
【００１１】
他の一実施形態によると、友だち目録画面でユーザのプロフィール情報が提供される領域が選択される場合、ユーザの詳細プロフィール情報が提供されるポップアップ画面を表示することをさらに含んでもよい。
【００１２】
他の一実施形態によると、詳細プロフィール情報は、ユーザのチャット名、サムネイルイメージ及び状態メッセージを含み、ポップアップ画面で状態メッセージが選択される場合、ユーザとのチャットルーム画面を表示して選択された状態メッセージを引用形式でチャットルーム画面の入力領域に挿入してもよい。
【００１３】
他の一実施形態によると、状態メッセージが提供される領域には、最新のアップデートされた状態メッセージが吹き出し形態に表示され、状態メッセージが予め設定された字数以上である場合、友だち目録画面には予め設定された字数以後にエリプシス（ｅｌｌｉｐｓｉｓ）を表示してもよい。
【００１４】
他の一実施形態によると、状態メッセージがアップデートされた時刻が１行メッセージ画面に訪問した時刻の後である場合、状態メッセージが提供される領域の色を予め設定された色に変更することによって状態メッセージがアップデートされることを通知することをさらに含んでもよい。
【００１５】
他の一実施形態によると、１行メッセージ画面は、ディスプレイの全体画面にポップアップレイヤの形態に表示され、１行メッセージ画面にユーザが訪問した回数を示すページビューカウンタを含んでもよい。
【００１６】
他の一実施形態によると、１行メッセージ画面が自分の１行メッセージ画面である場合、１行メッセージ画面によって提供される各状態メッセージの一側にはそれぞれの状態メッセージを編集することのできる編集アイコンが表示され、１行メッセージ画面の一側には状態メッセージを入力することのできる入力領域が含まれてもよい。
【００１７】
チャットサービス提供装置は、少なくとも１つのディスプレイと、少なくとも１つのプロセッサと、メモリと、少なくとも１つのプログラムとを含み、プログラムは、メモリに格納されて少なくとも１つのプロセッサによって実行されるように構成され、友だちとして登録されたユーザの状態メッセージが提供される領域を含む友だち目録画面を表示し、友だち目録画面で状態メッセージが提供される領域が選択される場合、ユーザが予め入力した状態メッセージがリスト形態で提供される１行メッセージ画面を表示し、１行メッセージ画面によって提供される複数の状態メッセージのいずれか１つが選択される場合、引用形式で選択された状態メッセージを有してユーザとのチャットルームに移動する。
【００１８】
チャットサービス提供装置は、状態メッセージが、ユーザ端末のディスプレイによって友だちとして登録されたユーザの状態メッセージが提供される領域を含む友だち目録画面に表示され、友だち目録画面で状態メッセージが提供される領域が選択される場合、ユーザが予め入力した状態メッセージがリスト形態で提供される１行メッセージ画面に表示され、１行メッセージ画面によって提供される複数の状態メッセージのいずれか１つが選択される場合、ユーザとのチャットルームで、引用形式で表示されるように複数のユーザ端末と状態メッセージを送受信してもよい。
【発明の効果】
【００１９】
本発明によると、友だち目録画面で状態メッセージが提供される領域が選択される場合、該当ユーザが予め入力した状態メッセージがリスト形態で提供される１行メッセージ画面を表示し、１行メッセージ画面によって提供される複数の状態メッセージのいずれか１つが選択される場合、該当ユーザとのチャットルーム画面を表示して選択された状態メッセージを引用形式でチャットルーム画面の入力領域に挿入することによって、他のユーザが入力したメッセージの内容を話題にして手軽にチャットすることができる。
【図面の簡単な説明】
【００２０】
【図１】本発明の一実施形態に係るチャットサービス提供方法を示すフローチャートである。
【図２】本発明の一実施形態に係るチャットサービスが提供される過程を説明するためのフローチャートである。
【図３】本発明の一実施形態に係る友だち目録画面を示す例示図である。
【図４】本発明の一実施形態に係るマイプロフィールポップアップ画面を示す例示図である。
【図５】本発明の一実施形態に係る自分の１行メッセージ画面を示す例示図である。
【図６】本発明の一実施形態に係る友だちのプロフィールポップアップ画面を示す例示図である。
【図７】本発明の一実施形態に係る友だちの１行メッセージ画面を示す例示図である。
【図８】本発明の一実施形態に係るチャットルーム画面を示す例示図である。
【図９】本発明の一実施形態に係るチャットサービス提供装置を示すブロック図である。
【発明を実施するための形態】
【００２１】
以下、本発明の実施形態について添付の図面を参照しながら詳細に説明する。
【００２２】
図１は、本発明の一実施形態に係るチャットサービス提供方法を示すフローチャートである。
【００２３】
図面を参照すると、ユーザ端末は、まずディスプレイによって友だちとして登録されたユーザの状態メッセージが提供される領域を含む友だち目録画面を表示する（Ｓ１１０）。ここで、ユーザ端末は、タッチ検出ディスプレイを備えた携帯端末であってもよい。
【００２４】
友だち目録画面は、状態メッセージが提供される領域とユーザのプロフィール情報が提供される領域を含む。それぞれの領域には友だちとして登録されたユーザの状態メッセージとプロフィール情報がそれぞれ表示されてもよい。プロフィール情報が提供される領域には、該当ユーザのチャット名、該当ユーザのサムネイルイメージなどが表示されてもよい。友だち目録画面には友だちとして登録されたユーザのみならず、ユーザ自分のプロフィール情報と状態メッセージが表示されてもよい。
【００２５】
友だち目録画面で状態メッセージが提供される領域が選択された場合、ユーザ端末は、該当ユーザが予め入力した状態メッセージがリスト形態で提供される１行メッセージ画面を表示する（Ｓ１２０）。そして、友だち目録画面でプロフィール情報が提供される領域が選択される場合には、該当ユーザの詳細プロフィール情報が提供されるポップアップ画面を表示してもよい。詳細プロフィール情報は、該当ユーザのチャット名、サムネイル（ｔｈｕｍｂ  ｎａｉｌ）イメージ、及び状態メッセージなどを含んでもよい。
【００２６】
ポップアップ画面で友だちとして登録された特定ユーザの状態メッセージが選択される場合には、友だち目録画面で該当ユーザの状態メッセージが提供される領域が選択される場合と同様に、該当ユーザとのチャットルーム画面を表示して選択された状態メッセージを引用形式でチャットルーム画面の入力領域に挿入してもよい。
【００２７】
一方、１行メッセージ画面によって提供される複数の状態メッセージのいずれか１つが選択される場合、該当ユーザとの１：１チャットルーム画面を表示し、選択された状態メッセージを引用形式で１：１チャットルーム画面の入力領域に挿入することによって（Ｓ１３０）、ユーザが該当ユーザのメッセージを話題にしてより便利にチャットできるようにする。
【００２８】
しかし、１行メッセージ画面が自分の１行メッセージ画面である場合、過去自分が入力した状態メッセージを編集できるようにするため、１行メッセージ画面によって提供される各状態メッセージの一側にはそれぞれの状態メッセージを編集することのできる編集アイコンが表示され、１行メッセージ画面の一側には状態メッセージを入力することのできる入力領域を含んでもよい。
【００２９】
図２は、本発明の一実施形態に係るチャットサービスが提供される過程を説明するためのフローチャートである。以下、図２を参照してチャットサービス提供方法の例を挙げて詳細に説明する。
【００３０】
図２は、ユーザ端末のディスプレイによって提供されるチャットサービスの画面を示す。同図に示すように、友だち目録画面２１０の上段には自分のプロフィール情報と自分の状態メッセージが表示されてもよく、その下段には友だちとして登録されたユーザのプロフィール情報と状態メッセージが表示されてもよい。
【００３１】
ここで、友だち目録画面２１０で自分のプロフィール情報が選択されれば、自分のポップアップレイヤ２２０が表示されてもよく、友だちとして登録されたユーザのプロフィール情報が選択されれば、友だちのポップアップレイヤ２４０が表示されてもよい。ポップアップレイヤ２２０、２４０には該当ユーザのチャット名、サムネイルイメージ、状態メッセージなどを含む詳細プロフィール情報が表示されてもよい。
【００３２】
友だち目録画面２１０で状態メッセージが表示される領域が選択されたり、ポップアップレイヤ２２０、２４０で状態メッセージが表示される領域が選択されたりする場合、ユーザ端末のディスプレイには１行メッセージ画面２３０、２５０が表示されてもよい。
【００３３】
より具体的には、友だち目録画面２１０で自分の状態メッセージが表示される領域が選択されたり、自分のポップアップレイヤ２２０で表示される状態メッセージが選択されたりすれば、自分の状態メッセージを編集することのできる自分の１行メッセージ画面２３０が表示される。友だち目録画面２１０で友だちとして登録されたユーザの状態メッセージが表示される領域が選択されたり、友だちのポップアップレイヤ２４０で表示される状態メッセージが選択されたりすれば、該当ユーザの状態メッセージを見ることができる友だちの１行メッセージ画面２５０が表示される。
【００３４】
友だちの１行メッセージ画面２５０によって表示される複数の状態メッセージのいずれか１つが選択される場合には該当ユーザとの１：１チャットルーム画面が表示され、選択された状態メッセージが引用形式で１：１チャットルーム画面の入力領域２６０に挿入されてもよい。
【００３５】
図３は、本発明の一実施形態に係る友だち目録画面を示す例示図である。以下、図３を参照して友だち目録画面に対してより詳細に説明する。
【００３６】
友だち目録画面には、友だちとして登録されたユーザの情報を見ることができる友だちタップ、友だちとして登録されたユーザとのチャットルームが表示されるチャットタップなどが提供されてもよい。図３には、一例として友だち目録画面で友だちタップが選択された場合を示している。
【００３７】
友だちタップが選択される場合、友だち目録画面の上段には自分のプロフィール情報が表示される領域３１０と自分の状態メッセージが表示される領域３２０を含んでもよい。そして、友だち目録画面の下段には友だちのプロフィール情報が表示される領域と友だちの状態メッセージが表示される領域を含んでもよい。
【００３８】
状態メッセージが表示される領域３２０、３３０には最新のアップデートされた状態メッセージが吹き出し形態に表示されてもよい。ここで、状態メッセージが予め設定された字数以上（例えば、２０字）である場合、予め設定された字数の後にはエリプシスが表示されてもよい。
【００３９】
また、友だち目録画面で表示される状態メッセージの色はユーザが読んでいないものと判断される場合、ユーザが読んだと判断される色とは異なる色で表示してもよい。一例として、ユーザ端末は、該当ユーザの状態メッセージがアップデートされた時間が、ユーザが該当友だちの１行メッセージ画面に訪問した時間の後であると判断される場合、該当友だちの状態メッセージが提供される領域３３０の色を白色から黄色に変更するように予め設定された色に変更することによって、状態メッセージがアップデートされることを通知してもよい。
【００４０】
図面において「デザインチーム」と「ショッピングが好きな人々」の横にある数字は、該当チャットルームに参加しているユーザ数を示す。
【００４１】
図４は、本発明の一実施形態に係るマイプロフィールポップアップ画面を示す例示図である。
【００４２】
マイプロフィールポップアップ画面にはユーザ自分の詳細プロフィール情報が表示される。一例として、マイプロフィールポップアップ画面は、図４に示すように、サムネイルイメージでマイプロフィール写真が表示される領域４１０、ポップアップ画面を閉じるためのボタン４２０、自分の名前が表示される領域４３０、マイ状態メッセージが表示される領域４４０、自分の１行メッセージ画面に移動できる領域４６０及びマイプロフィール情報を編集できる画面に移動できる領域４５０を含んでもよい。
【００４３】
マイプロフィール写真の表示される領域４１０が選択される場合、該当領域４１０に表示されるサムネイルイメージのオリジナルイメージが表示されてもよい。マイ状態メッセージが表示される領域４４０が選択される場合、自分の１行メッセージ画面に移動してもよい。
【００４４】
図５は、本発明の一実施形態に係る自分の１行メッセージ画面を示す例示図である。
【００４５】
自分の１行メッセージ画面の上段には「今日の気分」のようにユーザが編集できる１行メッセージタイトル５１０が表示される。１行メッセージタイトル５１０が表示される領域の左側には編集ボタン５２０が備えられ、これを選択するとき、各状態メッセージの一側に該当状態メッセージを編集したり削除したりすることのできる編集アイコンが表示されてもよい。一方、１行メッセージタイトル５１０が表示される領域の右側には自分の１行メッセージ画面を閉じることのできるボタン５３０が備えられてもよい。
【００４６】
また、１行メッセージタイトル５１０が表示される領域の下段には、マイプロフィール写真５４０と自分の名前５５０とページビューカウンタ５６０が表示されてもよい。ページビューカウンタ５６０は、自分の１行メッセージ画面に他のユーザが訪問した回数をカウントすることによって、今日の訪問者数、全体訪問者数などをカウントしたものを表示してもよい。
【００４７】
１行メッセージ画面に入力される状態メッセージ５７０は、テキスト、顔文字、イメージ、位置情報など、一般的にチャットルームで用いられる全てが用いられてもよい。それぞれの状態メッセージ５７０の一側には該当状態メッセージを入力した時間が表示される。状態メッセージを入力した時間は、一例として、１時間以内に該当メッセージが入力された場合、ｎ分前、１時間以上、そして２４時間以内に該当メッセージが入力された場合、ｎ時間前、２４時間以前に該当メッセージが入力された場合、ｎ日前に表示されてもよい（ここで、ｎは自然数）。
【００４８】
また、同図に示すように、１行メッセージ画面が自分の１行メッセージ画面である場合には、ユーザが状態メッセージを入力できるように入力領域５８０が提供されてもよい。
【００４９】
図６は、本発明の一実施形態に係る友だちのプロフィールポップアップ画面を示す例示図である。
【００５０】
友だちのプロフィールポップアップ画面には友だちとして登録されたユーザの詳細プロフィール情報が表示される。一例として、友だちのプロフィールポップアップ画面は、図６に示すように、該当ユーザを「お気に入り」で追加するお気に入りボタン６１０、該当ユーザの名前を編集できるボタン６２０、友だちのプロフィールポップアップ画面を閉じるボタン６３０、該当ユーザのサムネイルイメージ６４０、名前６５０、状態メッセージ６６０、電話番号６７０が表示される領域、及び該当ユーザと１：１チャットと無料通話を接続する領域６８０などを含んでもよい。
【００５１】
お気に入りボタン６１０はトグル方式で具現されてお気に入りボタン６１０を１回押す場合、該当ユーザがお気に入りに追加されてもよく、もう１回押す場合はお気に入りから削除されてもよい。
【００５２】
該当ユーザの名前を編集できるボタン６２０を用いて名前を編集する場合、サーバに格納されたニックネーム、連絡先の名前などとは別個にユーザ端末に編集した情報が格納されてもよい。
【００５３】
サムネイルイメージ６４０を選択する場合、該当イメージのオリジナルイメージが表示されてもよい。
【００５４】
状態メッセージ６６０を選択する場合、該当ユーザの１行メッセージ画面に移動してもよい。
【００５５】
電話番号６７０は、連絡先ベースで結ばれた友だちである場合に表示されてもよい。同一国である場合には国番号が除外されてもよく、電話番号６７０を選択するとき一般電話が接続されてもよい。
【００５６】
図７は、本発明の一実施形態に係る友だちの１行メッセージ画面を示す例示図である。
【００５７】
友だちの１行メッセージ画面は、自分の１行メッセージ画面と同様に上段には「今日の気分」のようにユーザが編集することのできる１行メッセージタイトル７１０が表示される。１行メッセージタイトル７１０が表示される領域の右側には友だちの１行メッセージ画面を閉じることのできるボタン７３０を備えもよい。
【００５８】
１行メッセージタイトル７１０が表示される領域の下段には、友だちの名前７２０、プロフィール写真７４０、ページビューカウンタ７５０及び該当の友だちとの１：１チャットルームに移動することのできるボタン７６０が表示されてもよい。
【００５９】
友だちの１行メッセージ画面に表示される状態メッセージそれぞれの一側には該当状態メッセージを有し、該当友だちとの１：１チャットルームに移動できるアイコン７７０が表示されてもよい。また、自分の１行メッセージ画面と同様に、各状態メッセージの一側には該当状態メッセージを入力した時間が表示されてもよい。
【００６０】
図８は、本発明の一実施形態に係るチャットルーム画面を示す例示図である。
【００６１】
友だち目録画面、友だちのプロフィールポップアップ画面、友だちの１行メッセージ画面などに表示される状態メッセージを選択する場合、ユーザ端末は該当ユーザとのチャットルーム画面を表示したように、選択された状態メッセージを引用形式でチャットルーム画面の入力領域に挿入することによって、ユーザは該当メッセージをいちいち入力することなく、該当ユーザが入力したメッセージ内容を話題にしてより手軽にチャットすることができる。
【００６２】
図９は、本発明の一実施形態に係るチャットサービス提供装置を示すブロック図である。
【００６３】
ユーザ端末９１０は、ネットワークを介してチャットサービス提供サーバ９２０と状態メッセージを送受信してもよい。ユーザ端末９１０は、少なくとも１つのディスプレイ９１２、メモリ９１４、少なくとも１つのプロセッサ９１６、少なくとも１つのプログラム及びチャットサービス提供サーバ９２０と通信するためのインタフェース９１８を含んでもよい。
【００６４】
プログラムは、メモリ９１４に格納されて少なくとも１つのプロセッサ９１６によって実行されるように構成され、インタフェース９１８を介してチャットサービス提供サーバ９２０から受信した状態メッセージをユーザ端末９１０の少なくとも１つのディスプレイ９１２によって友だちとして登録されたユーザの状態メッセージが提供される領域を含む友だち目録画面に表示する。
【００６５】
ここで、友だち目録画面で状態メッセージが提供される領域が選択される場合、プログラムは前記ユーザが予め入力した状態メッセージがリスト形態で提供される１行メッセージ画面を表示し、１行メッセージ画面によって提供される複数の状態メッセージのいずれか１つが選択される場合、引用形式で選択された状態メッセージを有してユーザとのチャットルームに移動する。
【００６６】
チャットサービス提供サーバ９２０は、複数のユーザ端末９１０と状態メッセージを送受信するものとして、受信部９２２、制御部９２４及び送信部９２６を備える。
【００６７】
制御部９２４は、受信部９２２によってユーザ端末９１０から受信した状態メッセージを送信部９２６によって該当するユーザ端末に送信するように制御する。
【００６８】
これによって、ユーザ端末９１０に送信された状態メッセージは、該当ユーザ端末９１０のディスプレイ９１２によって友だちとして登録されたユーザの状態メッセージが提供される領域を含む友だち目録画面に表示され、友だち目録画面で状態メッセージが提供される領域が選択される場合、ユーザが予め入力した状態メッセージがリスト形態で提供される１行メッセージ画面に表示され、１行メッセージ画面によって提供される複数の状態メッセージのいずれか１つが選択される場合、ユーザとのチャットルームで引用形式として表示される。
【００６９】
したがって、本発明に係るチャットメッセージ提供方法及び装置は、友だち目録画面で状態メッセージが提供される領域が選択される場合、該当ユーザが予め入力した状態メッセージがリスト形態で提供される１行メッセージ画面を表示し、１行メッセージ画面によって提供される複数の状態メッセージのいずれか１つが選択される場合、該当ユーザとのチャットルーム画面を表示して選択された状態メッセージが引用形式でチャットルーム画面の入力領域に挿入されるようにすることで、他のユーザが入力したメッセージの内容を話題にしてより手軽にチャットすることができる。
【００７０】
本発明の実施形態は、多様なコンピュータ手段によって行うことができるプログラム命令の形態で実現されても良く、かかるプログラム命令は、コンピュータ読み出し可能媒体に記録されてもよい。前記コンピュータ読み出し可能媒体は、プログラム命令、データファイル、データ構造などを単独または組み合わせたものを含んでもよい。前記媒体に記録されるプログラム命令は、本発明のために特別に設計して構成されたものでもよく、コンピュータソフトウェア分野の技術を有する当業者にとって公知のものであり使用可能なものであってもよい。コンピュータ読み出し可能記録媒体の例には、ハードディスク、フロッピー（登録商標）ディスク及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような光磁気記録媒体（ｍａｇｎｅｔｏ−ｏｐｔｉｃａｌ  ｍｅｄｉａ）、及びＲＯＭ、ＲＡＭ、フラッシュメモリなどのようなプログラム命令を格納し遂行するように特別に構成されたハードウェア装置が含まれる。プログラム命令の例には、コンパイラによって作られるような機械語コードだけでなく、インタープリタなどを用いてコンピュータによって実行できる高級言語コードが含まれる。前記したハードウェア装置は、本発明の動作を行うために１つ以上のソフトウェアモジュールとして作動するように構成されてもよく、その逆も同様である。
【００７１】
以上のように本発明を限定された実施形態と図面によって説明したが、本発明は、上記の実施形態に限定されることなく、本発明が属する分野における通常の知識を有する者であれば、このような記載から多様な修正及び変形が可能である。
【００７２】
したがって、本発明の範囲は、説明された実施形態に限定されて定められるものではなく、特許請求の範囲及び特許請求の範囲と均等なものなどによって定められるものである。
【図３】
0005540126.tif 000002
【図４】
0005540126.tif 000003
【図５】
0005540126.tif 000004
【図１】
0005540126.tif 000005
【図２】
0005540126.tif 000006
【図６】
0005540126.tif 000007
【図７】
0005540126.tif 000008
【図８】
0005540126.tif 000009
【図９】
0005540126.tif 000010